(57)【要約】【課題】カード型商品又はその見本等のカード型物品の損傷を早めることなく、また、カード型物品を抜き取ったときに他のカード型物品の閲覧操作性や陳列の美観を損ねたりすることなく、カード型物品を容易に抜き差し可能に陳列することができるカード型物品陳列装置を提供する。【解決手段】カード型物品陳列装置は、陳列装置本体１０と、該陳列装置本体に両端を固定して設けられた支持杆１１と、カード型物品１２の側辺を挟んで保持するとともに、支持杆に対し抜き差し可能に嵌まり合って保持されるホルダ１３とを有する。ホルダにはその一側辺に開口して支持杆に嵌まり合う切欠き穴１４が形成されており、この切欠き穴はその開口端近傍に支持杆の断面幅よりも狭い狭小部１４ａを有し、該狭小部は、支持杆が該狭小部を弾性変形させて通過し切欠き穴の奥部１４ｂに嵌まり込んだとき狭小位置へと弾性復帰するように形成されている。【選択図】  図２
2004267265.tif 000002
【特許請求の範囲】
【請求項１】
陳列装置本体と、該陳列装置本体に両端を固定して設けられた支持杆と、カード型物品の側辺を挟んで保持するとともに、前記支持杆に対し抜き差し可能に嵌まり合って保持されるホルダとを備えてなるカード型物品陳列装置。
【請求項２】
前記ホルダにはその一側辺に開口して前記支持杆に嵌まり合う切欠き穴が形成されており、この切欠き穴は奥部と開口端との間に支持杆の断面幅よりも狭い狭小部を有し、該狭小部又は支持杆の弾性変形により支持杆が狭小部を通過できるように構成されていることを特徴とする請求項１記載のカード型物品陳列装置。
【請求項３】
前記ホルダは開閉可能な一対の枠体と、両枠体を閉じたときに互いに嵌まり合って両枠体を閉状態に保つ嵌合手段とを有し、前記両枠体の合わせ面に前記カード型物品の側辺を挟み込む保持溝が形成されていることを特徴とする請求項２記載のカード型物品の陳列装置。
【請求項４】
前記両枠体がヒンジ部を介して一体に形成されており、前記切欠き穴は前記ヒンジ部をその長さ方向に分断する位置に形成されていることを特徴とする請求項３記載のカード型物品の陳列装置。
【請求項５】
前記ホルダは、前記保持溝に差し込まれたカード型物品に当接してカード型物品が保持溝から抜け出ないように規制する抜け防止手段を有することを特徴とする請求項２記載のカード型物品陳列装置。
【請求項６】
前記両枠体は、矩形をなすカード型物品の後部側辺を挟み込む後部側辺挟み部と、カード型物品の下部側辺を挟み込む下部側辺挟み部と、カード型物品の後部側辺に続く上部側辺の一部を挟み込む上部側辺挟み部と、カード型物品の下部側辺に続く前部側辺の一部を挟み込む前部側辺挟み部とを有し、これら後部側辺挟み部、下部側辺挟み部、上部側辺挟み部及び前部側辺挟み部の合わせ面に前記保持溝が連続形成されており、前記上部側辺挟み部及び前部側辺挟み部に形成されている保持溝の端部が前記抜け防止手段を構成していることを特徴とする請求項５記載のカード型物品の陳列装置。
【請求項７】
前記抜け防止手段が、前記カード型物品に形成された穴、凹部又は切欠きに嵌まり込むことができる嵌合ピンであることを特徴とする請求項５記載のカード型物品の陳列装置。
【請求項８】
前記支持杆を複数個備え、これら複数個の支持杆が前記陳列装置本体の横幅方向に直線的に且つ互いに平行に延びており、前記ホルダは前記切欠き穴を介してこれら支持杆に対しその長さ方向に移動自在に且つ支持杆上で左右に揺動可能に保持されていることを特徴とする請求項２記載のカード型物品の陳列装置。
【請求項９】
前記支持杆を複数個備え、これら複数個の支持杆は略Ｕ字状若しくはＣ字状に形成されており且つ互いに平行をなして両端を前記陳列装置本体に固定されており、前記ホルダは前記切欠き穴を介してこれら支持杆に対しその長さ方向に移動自在に保持されていることを特徴とする請求項２記載のカード型物品の陳列装置。
【請求項１０】
前記陳列装置本体が他の陳列棚に対し装着可能に形成されていることを特徴とする請求項１記載のカード型物品の陳列装置。
【発明の詳細な説明】
【０００１】
【発明の属する技術分野】
本発明は、薄いカード型の商品やその見本などのカード型物品を多数陳列することができるカード型物品陳列装置に関するものである。
【０００２】
【従来の技術】
薄いカード型の商品、例えば、プラスチックケース等に収納された音楽やビデオ鑑賞用のＣＤ、ＭＤ、ＤＶＤ等やゲームソフトを格納したカードなどのカード型商品を取り扱う販売店においては、これらカード型商品の見本を物品陳列装置上に多数並べて陳列し、この物品陳列装置から取り出した商品見本を、代金支払い時に会計カウンターで商品と交換する販売方法が広く用いられている。
【０００３】
カード型商品の見本はカード型商品と同じプラスチックケースに収容して陳列に供される場合もあるが、より多くの商品見本の陳列を可能にするために、厚紙や薄いプラスチックシート等の表裏面にカード型商品のパッケージと同様の商品デザイン、商品説明等を施してなる商品見本が好まれる傾向にある。
【０００４】
ところで、上記カード型商品や上記商品見本などのカード型物品を物品陳列装置上に多数並べて陳列に供する場合、単に多数のカード型物品を棚の上に積み重ねたり、棚の上で横に多数並べて設けたりしたのでは、各カード型物品の表裏面の商品デザインや商品説明が見ずらく、目的とするカード型商品又はその見本を探し出すことが困難となる。また、度々の抜き出し操作によってカード型物品が損傷しやすくなる。
【０００５】
上記問題点の解消を目的とした物品陳列装置として、物品陳列装置本体に横方向に等ピッチ間隔で配設した多数の垂直支持杆に略Ｌ字形のホルダを左右に揺動可能に取り付け、各ホルダに形成した保持溝にカード型商品又は見本の下部側辺及び後部側辺を差し込んで１つずつ保持できるように構成したものが知られている（実公平４−４６６２７号公報、実公平４−４６６２８号公報参照）。
【０００６】
上記公報記載のカード型物品用陳列装置は、  カード型商品又は見本を保持するホルダを左右に揺動可能とすることで、カード型商品又は見本の表裏面を見易くし、また、隣接するホルダ同士が接触しても商品又は見本同士の接触を防止できるものとなっている。
【特許文献１】実公平４−４６６２７号公報
【特許文献２】実公平４−４６６２８号公報
【０００７】
【発明が解決しようとする課題】
上記公報記載のカード型物品用陳列装置においては、各ホルダが垂直支持杆に対し抜き差し不可能に取り付けられており、また、陳列装置本体には、ホルダの保持溝に差し込まれたカード型商品又は見本がホルダから抜け出ないように規制するストッパー杆が設けられているので、陳列されている中から選択したカード型商品又は見本を直接会計カウンターまで持ち運ぶことができず、購入しようとするカード型商品又は見本に付された整理番号等を覚えておいて会計カウンター等で申し出る必要があるため、購入者に余計な負担を強いることとなる。
【０００８】
一方、上記のようなホルダに対してカード型商品又は見本を抜き出し可能に差し込んでおく方法も考えられるが、ホルダへの抜き差しを繰り返すことでカード型商品又は見本が損傷しやすくなるとともに、特に、シート状のカード型商品又は見本の場合は、ホルダから抜き取ったカード型商品又は見本を会計カウンターまで持ち運ぶ間に折れたりして損傷しやすいという欠点がある。さらに、カード型商品又は見本が抜き取られた空のホルダが陳列装置本体に残るため、陳列装置の見栄えが悪くなるとともに、陳列されている他のカード型商品又は見本を閲覧しようとしたとき空のホルダが邪魔になって操作しずらいという欠点がある。
【０００９】
したがって、本発明の目的は、カード型商品又はその見本等のカード型物品の損傷を早めることなく、また、カード型物品を抜き取ったときに他のカード型物品の閲覧操作性や陳列の美観を損ねたりすることなく、カード型物品を容易に抜き差し可能に陳列することができるカード型物品陳列装置を提供することにある。
【００１０】
【課題を解決するための手段】
上記課題を解決するために、本発明は、以下の手段を提供する。
【００１１】
（発明１）陳列装置本体と、該陳列装置本体に両端を固定して設けられた支持杆と、カード型物品の側辺を挟んで保持するとともに、前記支持杆に対し抜き差し可能に嵌まり合って保持されるホルダとを備えてなるカード型物品陳列装置。
上記構成を有するカード型物品陳列装置においては、ホルダにカード型物品を保持したままホルダを支持杆に対し抜き差しすることができるので、ホルダの抜き差しを繰り返してもカード型物品自体の損傷を防ぐことができる。また、カード型物品がシート状のものであっても、カード型物品にホルダを付けたまま持ち運ぶことができるので、ホルダが補強枠の役割を果たし、カード型物品の折れ曲がり等を起こしにくくすることができる。さらに、カード型物品をホルダと一緒に支持杆から取り外すので空のホルダが支持杆に取り残されることがない。したがって、陳列されている他のカード型物品の閲覧操作性や陳列の美観を損ねたりすることなく、カード型物品を容易に抜き差し可能に陳列することができるカード型物品陳列装置を提供することができる。
【００１２】
（発明２）上記発明１の構成において、前記ホルダにはその一側辺に開口して前記支持杆に嵌まり合う切欠き穴が形成されており、前記ホルダにはその一側辺に開口して前記支持杆に嵌まり合う切欠き穴が形成されており、この切欠き穴はその奥部と開口端との間に支持杆の断面幅よりも狭い狭小部を有し、該狭小部又は支持杆の弾性変形により支持杆が狭小部を通過できるように構成される。
上記構成によれば、構成部品数を増やすことなく支持杆に対するホルダの抜き差しの操作性に優れたカード型物品陳列装置を提供することができる。
【００１３】
（発明３）上記発明２の構成において、前記ホルダは開閉可能な一対の枠体と、両枠体を閉じたときに互いに嵌まり合って両枠体を閉状態に保つ嵌合手段とを有し、前記両枠体の合わせ面に前記カード型物品の側辺を挟み込む保持溝が形成される。
上記構成によれば、カード型物品に対するホルダの取付け及び取外しが容易で且つホルダの製造が容易なカード型物品陳列装置を提供することができる。
【００１４】
（発明４）上記発明３の構成において、前記両枠体がヒンジ部を介して一体に形成されており、前記切欠き穴は前記ヒンジ部をその長さ方向に分断する位置に形成される。
上記構成によれば、カード型物品に対するホルダの取付け及び取外しが容易で且つホルダの製造が一層容易なカード型物品陳列装置を提供することができる。
【００１５】
（発明５）上記発明２の構成において、前記ホルダは、前記保持溝に差し込まれたカード型物品に当接してカード型物品が保持溝から抜け出ないように規制する抜け防止手段を有する。
上記構成によれば、カード型物品が不用意にホルダから抜け出ることを確実に防止できるカード型物品陳列装置を提供することができる。
【００１６】
（発明６）上記発明５の構成において、前記両枠体は、矩形をなすカード型物品の後部側辺を挟み込む後部側辺挟み部と、カード型物品の下部側辺を挟み込む下部側辺挟み部と、カード型物品の後部側辺に続く上部側辺の一部を挟み込む上部側辺挟み部と、カード型物品の下部側辺に続く前部側辺の一部を挟み込む前部側辺挟み部とを有し、これら後部側辺挟み部、下部側辺挟み部、上部側辺挟み部及び前部側辺挟み部の合わせ面に前記保持溝が連続形成されており、前記上部側辺挟み部及び前部側辺挟み部に形成されている保持溝の端部が前記抜け防止手段を構成する。
上記構成によれば、部品点数を増やすことなく、カード型物品が不用意にホルダから抜け出ることを確実に防止できるとともに、矩形をなすカード型物品の４辺をホルダで挟み込み枠体で補強及び保護することができるので、陳列時及び持運び時におけるカード型物品の折れ曲がり等の損傷をより効果的に防止することができるカード型物品陳列装置を提供することができる。
【００１７】
（発明７）上記発明５の構成において、前記抜け防止手段が、前記カード型物品に形成された穴、凹部又は切欠きに嵌まり込むことができる嵌合ピンからなる。
上記構成によれば、ホルダがカード型物品の側辺を挟み込む領域を小さくしてカード型物品の露出面積を大きく確保した場合であっても陳列時にカード型物品が不用意にホルダから抜けて脱落することを確実に防止できるカード型物品陳列装置を提供することができる。
【００１８】
（発明８）上記発明２の構成において、前記支持杆を複数個備え、これら複数個の支持杆が前記陳列装置本体の横幅方向に直線的に且つ互いに平行に延びており、前記ホルダは前記切欠き穴を介してこれら支持杆に対しその長さ方向に移動自在に且つ支持杆上で左右に揺動可能に保持される。
上記構成によれば、多数のカード型物品をホルダを介して複数個の支持杆により安定に支持し且つ横方向に多数並べて陳列することができるとともに、ホルダを支持杆の長さ方向に移動させたり揺動させたりできるので、多数のカード型物品をホルダを介して支持杆に保持し陳列している場合であっても、個々のカード型物品の表裏面に施されている商品説明やデザイン等を容易に視認することができるカード型物品陳列装置を提供することができる。
【００１９】
（発明９）上記発明２の構成において、前記支持杆を複数個備え、これら複数個の支持杆は略Ｕ字状若しくはＣ字状に形成されており且つ互いに平行をなして両端を前記陳列装置本体に固定されており、前記ホルダは前記切欠き穴を介してこれら支持杆に対しその長さ方向に移動自在に保持される。
上記構成によれば、多数のカード型物品をホルダを介して略Ｕ字状若しくはＣ字状をなした複数個の支持杆により安定に支持することができ、且つ、ルーズリーフ状若しくは回転扉状に多数陳列することができるとともに、個々のカード型物品の表裏面に施されている商品説明やデザイン等を正面から容易に視認することができるカード型物品陳列装置を提供することができる。
【００２０】
（発明１０）上記発明１の構成において、前記陳列装置本体が他の陳列棚に対し装着可能に形成される。
上記構成によれば、店舗等に設置されている既存の陳列棚の陳列スペースを有効活用してカード型物品を効果的に陳列することができるカード型物品陳列装置を提供することができる。
【００２１】
【発明の実施の形態】
以下、図面を参照して本発明の好ましい実施形態を説明する。
【００２２】
図１から図５までは本発明の第１実施形態を示したものである。はじめに図１及び図２を参照すると、カード型物品陳列装置は、陳列装置本体１０と、該陳列装置本体１０に両端を固定して設けられた支持杆１１と、カード型物品１２の側辺を挟んで保持するとともに、前記支持杆１１に対し抜き差し可能に嵌まり合って保持されるホルダ１３とを備えている。
【００２３】
したがって、ホルダ１３にカード型物品１２を保持したままホルダ１３を支持杆１１に対し抜き差しすることができるので、ホルダ１３の抜き差しを繰り返してもカード型物品１２自体の損傷を防ぐことができる。また、カード型物品１２がシート状のものであっても、カード型物品１２にホルダ１３を付けたまま持ち運ぶことができるので、ホルダ１３が補強枠の役割を果たし、カード型物品１２の折れ曲がり等を起こしにくくすることができる。
【００２４】
さらに、カード型物品１２をホルダ１３と一緒に支持杆１１から取り外すので空のホルダ１３が支持杆１１に取り残されることがない。したがって、陳列されている他のカード型物品１２の閲覧操作性や陳列の美観を損ねたりすることなく、カード型物品１２を容易に抜き差し可能に陳列することができることとなる。
【００２５】
図２及び図３に示すように、ホルダ１３にはその後部側辺に開口する複数個、例えば２個の切欠き穴１４が形成されており、図３及び図４に示すように、各切欠き穴１４はその開口端近傍に支持杆１１の断面幅よりも狭い狭小部１４ａを有している。狭小部１４ａはホルダ１３の弾性変形により拡開して支持杆１１を通過させることができるとともに、支持杆１１が狭小部１４ａを通過して切欠き穴１４の奥部１４ｂに嵌まり込んだとき、狭小位置へと弾性復帰することにより、支持杆１１が切欠き穴１４の奥部１４ｂから自由に抜け出ることを防止するように構成されている。
【００２６】
したがって、構成部品数を増やすことなく支持杆１１に対するホルダ１３の抜き差しの操作性を向上させることができる。
【００２７】
さらに詳しく説明すると、図３及び図４に示すように、この実施形態においては、ホルダ１３は開閉可能な一対の枠体１６、１７と、両枠体１６，１７を閉じたときに互いに嵌まり合って両枠体１６，１７を閉状態に保つ嵌合手段１８とを有し、前記両枠体１６，１７の合わせ面にカード型物品１２の側辺を挟み込む保持溝１９が形成されている。このようなホルダ１３の開閉構造により、カード型物品１２に対するホルダ１３の取付け及び取外しが容易で且つホルダの製造が容易となる。
【００２８】
さらに、この実施形態においては、図３及び図４に示すように、両枠体１６，１７がヒンジ部２０を介して一体に形成されており、切欠き穴１４はヒンジ部２０をその長さ方向に分断する位置に形成されている。このようなホルダ１３の一体化構造により、カード型物品１２に対するホルダ１３の取付け及び取外しが一層容易になるとともに、ホルダ１３の製造が一層容易となる。
【００２９】
さらに、ホルダ１３は、保持溝１９に差し込まれたカード型物品１２に当接してカード型物品１２が保持溝１９から抜け出ないように規制する抜け防止手段２１を有する。
【００３０】
この抜け防止手段２１により、カード型物品１２が不用意にホルダ１３から抜け出ることを確実に防止できるものとなる。
【００３１】
上記実施形態をさらに詳しく説明すると、図３に示すように、両枠体１６，１７は、矩形をなすカード型物品１２の後部側辺１２ａを挟み込む後部側辺挟み部１６ａ、１７ａと、カード型物品１２の下部側辺１２ｂを挟み込む下部側辺挟み部１６ｂ、１７ｂと、カード型物品１２の後部側辺１２ａに続く上部側辺１２ｃの一部を挟み込む上部側辺挟み部１６ｃ、１７ｃと、カード型物品１２の下部側辺１２ｂに続く前部側辺１２ｄの一部を挟み込む前部側辺挟み部１６ｄ、１７ｄとを有している。
【００３２】
そして、これら後部側辺挟み部１６ａ、１７ａ、下部側辺挟み部１６ｂ、１７ｂ、上部側辺挟み部１６ｃ、１７ｃ及び前部側辺挟み部１６ｄ、１７ｄの周縁に沿って外周リブ１６ｅ、１７ｅが形成されており、ホルダ１３のヒンジ部２０を折り曲げて両枠体１６，１７を閉じたときに、両枠体１６，１７における外周リブ１６ｅ、１７ｅの頂部が互いに重なり合って両枠体１６，１７の合わせ面となる。
【００３３】
両枠体１６，１７における外周リブ１６ｅ、１７ｅの頂部には上記保持溝１８を形成するための凹部１６ｆ、１７ｆが連続して形成されており、上部側辺挟み部１６ｃ、１７ｃにおける凹部１６ｆ、１７ｆの端部１６ｇ、１７ｇと、前部側辺挟み部１６ｄ、１７ｄにおける凹部１６ｆ、１７ｆの端部１６ｈ、１７ｈとがそれぞれ上記抜け防止手段２１を構成している。すなわち、上部側辺挟み部１６ｃ、１７ｃにおける凹部１６ｆ、１７ｆの端部１６ｇ、１７ｇは、保持溝１９に嵌合したカード型物品１２が上方に抜け出ることを防止し、前部側辺挟み部１６ｄ、１７ｄにおける凹部１６ｆ、１７ｆの端部１６ｈ、１７ｈは、保持溝１９に嵌合したカード型物品１２が前方に抜け出ることを防止できるものとなっている。
【００３４】
上記ホルダ構造によれば、部品点数を増やすことなく、カード型物品１２が不用意にホルダ１３から抜け出ることを確実に防止できるとともに、矩形をなすカード型物品１２の４辺をホルダ１３の枠      体１６，１７で補強及び保護することができるので、陳列時及び持運び時におけるカード型物品１２  図３及び図４に示すように、上記嵌合手段１８は、ホルダ１３の３つの角部近傍においてそれぞれホルダ１３の内面よりに突出して設けられたとピン１８ａとボス部１８ｂとからなっており、両枠体１６，１７を閉じて両者の合わせ面（外周リブ１６ｅ、１７ｅの頂部）を重ね合わせたとき、これらピン１８ａの先端がボス部１８ｂの中央に開口している嵌合穴にきつく嵌まり込むことにより、両枠体１６，１７を閉位置に位置決めするとともに、閉状態に保つことができるものとなっている。
【００３５】
図４及び図５に示すように、両枠体１６，１７の外周リブ１６ｅ、１７ｅは、切欠き穴１４の周縁を取り囲むように形成されており、一方の枠体１６においては、一対のリーフ片２２、２３が外周リブ１６ｅから切欠き穴１４内に突出し湾曲して延びており、これら一対のリーフ片２２、２３の間に狭小部１４ａが形成されている。一対のリーフ片２２、２３を枠体１６，１７とともに適度の弾性を有する合成樹脂で一体に形成することにより、一対のリーフ片２２、２３にばね性が付与されているる。
【００３６】
図３及び図５（ｃ）からわかるように、カード型物品１２が保持溝１９内に差し込まれたとき、ここでは、枠体１６，１７の３つの角部に設けられているボス部１８ｂと、外周リブ１６ｅ、１７ｅのうちの切欠き穴１４を囲っている部分とがカード型物品１２の側辺に当接することにより、カード型物品１２を位置決めするものとなっている。
【００３７】
ホルダ１３は支持杆１１が切欠き穴１４の奥部１４ｂに嵌合したときのクリアランスを適度に確保することにより、ホルダ１３を支持杆１１の長さ方向に移動可能にするとともに、図１に仮想線で示すように、カード型物品１２の前端側を支持杆１１の長さ方向に揺動できるようにすることが望ましい。
【００３８】
さらに、図６（ａ）、（ｂ）、（ｃ）に示すように、ホルダ１３における切欠き穴１４の奥部１４ｂ内面を、中央又は中央付近からホルダ１３の両側面に向かって拡径するようなテーパー面とすることにより、ホルダ１３を支持杆１１の長さ方向に一層大きく揺動可能とすることができる。
【００３９】
さらに、図６（ａ）、（ｂ）、（ｃ）に示すように、両枠体１６，１７に各々リーフ片２２，２３を形成して切欠き穴１４の狭小部１４ａを形成してもよい。このように両枠体１６，１７にリーフ片２２，２３を形成すれば、両リーフ片２２，２３による支持杆１１の抜け防止力を容易に強めることができる。また、図６（ｃ）に示すように、ホルダ１３を支持杆１１に対し直角な位置から支持杆１１の長さ方向に沿って左右に揺動させたときに、これらリーフ片２２，２３の弾性力を利用してホルダ１３を支持杆１１に対し直角な位置へとスムーズに復帰させることができるようになる。
【００４０】
図１に示すカード型物品の陳列装置本体１０は、図２に示すように、陳列棚毎に支持杆１１を２本備えており、これら２本支持杆１１が陳列装置本体１０の横幅方向に直線的に且つ互いに平行に延びている。そして、ホルダ１３は２つの切欠き穴１４により、これら支持杆１１、１１に対しその長さ方向に移動自在に且つ支持杆１１、１１上で左右に揺動可能に保持されるものとなっている。
【００４１】
したがって、係る構成によれば、多数のカード型物品１２をホルダ１３を介して２本（複数本）の支持杆１１により安定に支持し且つ横方向に多数並  べて陳列することができるとともに、ホルダ１３を支持杆１１の長さ方向に移動させたり揺動させたりできるので、多数のカード型物品１２をホルダ１３を介して支持杆１１に保持し陳列している場合であっても、個々のカード型物品１２の表裏面に施されている商品説明やデザイン等を容易に視認することができるようになる。
【００４２】
図７から図９まではホルダ１３の他の実施形態を示したものである。これらの図において上記実施形態と同様の構成要素には同一の参照符号が付されている。
【００４３】
図７に示すホルダ１３は、カード型物品１２の後部側辺１２ａと下部側辺１２ｂと上部側辺１２ｃを挟み込むように形成したものであり、図８に示すホルダ１３は、カード型物品１２の後部側辺１２ａと下部側辺１２ｂを挟み込むように形成したものであり、図９に示すホルダ１３は、カード型物品１２の後部側辺１２ａのみを挟み込むように形成したものである。これらのホルダ１３においては、カード型物品１２に対する抜け防止手段２１として、カード型物品１２に形成された穴２５（図１０参照）に嵌まり込むことができるピン状の嵌合部２６が設けられている。なお、カード型物品１２がその上下部の側辺に切欠きを有する場合は、嵌合部２６をこの切欠きに入り込むように配置形成するとよい。
【００４４】
図７乃至図９に示すホルダ１３の形態によれば、嵌合部２６により、陳列時にカード型物品１２が不用意にホルダ１３から抜けて脱落することを確実に防止しつつ、ホルダ１３がカード型物品１２の側辺を挟み込む領域を小さくすることができるので、カード型物品１２の露出面積を大きく確保することができる。
【００４５】
図１１から図１５までは、カード型物品用陳列装置の陳列装置本体１０及び支持杆１１における他の実施形態を示したものである。これらの図において上記実施形態と同様の構成要素には同一の参照符号が付されている。
【００４６】
図１１及び図１２に示すカード型物品陳列装置においては、２本の略Ｕ字形状の支持杆３１、３１が上下に間隔をあけて、且つ、両端を横向きにして、陳列装置本体１０の背板３２の前面に固定して設けられており、これら２本の支持杆３１、３１に対し、上記実施形態と同様に、カード型物品１２の側辺に取り付けられたホルダ１３の切欠き穴１４，１４を抜き差し可能に嵌め込むことができるものとなっている。ホルダ１３は上記実施形態のものと同一構成のものを用いることができる。
【００４７】
この実施形態においては、２本の略Ｕ字形状の支持杆３１、３１が各々の両端を横向きにして、陳列装置本体１０の背板３２の前面に固定されているので、支持杆３１、３１に嵌合させて保持したホルダ１３を支持杆３１、３１の長さ方向に移動させることにより、本のページを左右にめくるような方法で、ホルダ１３に保持されているカード型物品１２の表面及び裏面を左右に大きく開いて見ることができる。
【００４８】
さらに、この実施形態においては、陳列装置本体１０が他の陳列棚、例えば、雑誌類を複数段に陳列するマガジンラック形式の陳列棚４０に対し装着可能に形成されている。
【００４９】
より具体的に述べると、陳列装置４０は上部が後方に傾斜した支持板４１と、複数の棚部材４２とを有し、棚部材４２は底板４２ａとその後端から上方に延びる背板４２ｂとを有している。そしてこれら複数個の棚部材４２は、後傾姿勢で上下に一部重なり合った状態で支持板４１の傾斜に沿って階段状にずらして配設されている。
【００５０】
このような陳列装置４０に対し、本発明の陳列装置本体１０は、最前列（再下段）の棚部材４２の背板４２ａの前面に当接するベース板３２を有しており、ベース板３２の背面には棚部材４２の背板４２ａの上端に引っ掛けるフック３３が設けられている。
【００５１】
さらに、陳列装置本体１０は、ベース板３２の下端から前方に延びて最下段の棚部材４２の上開放部を覆い下方に延びる下カバー３４と、ベース板３２の上端から後方に延びて１つ上の棚部材４２の上開放部を覆う上カバー３５とを有している。下カバー３４の前面には新商品や人気商品などお薦めのカード型物品１２の展示面として利用することができる。
【００５２】
これら下カバー３４及び上カバー３５には下補強カバー３６及び上補強カバー３７がそれぞれ取り付けられており、これら下補強カバー３６及び上補強カバー３７の前端縁には例えば透明樹脂、着色樹脂等からなる装飾モール３８，３８が取り付けられている。
【００５３】
上記構成によれば、店舗等に設置されている既存の陳列棚４０の陳列スペースを有効活用して多数      のカード型物品１２を効果的に陳列することができるカード型物品陳列装置を提供することができ  なお、図１３に示すように、既存の陳列棚４０における最下段（最前列）の棚部材４２がその底板４２ａの前端から上方に延びる前カバー４２ｃを有する場合、本発明の陳列装置本体１０をこの前カバー４２ｃの前面に当接させ、フック３３を前カバー４２ｃの上端に引っ掛けて取り付けるようにしてもよい。
【００５４】
図１３に示す実施形態のカード型物品陳列装置においては、２本の略Ｕ字形状の支持杆３１、３１が左右に間隔をあけて、且つ、両端を縦向きにして、陳列装置本体１０の背板３２の前面に固定されている。
【００５５】
したがって、この実施形態においては、２本の略Ｕ字形状の支持杆３１、３１に保持したホルダ１３を支持杆３１、３１の長さ方向に移動させることにより、本のページを上下にめくるような方法で、ホルダ１３に保持されているカード型物品１２の表面及び裏面を上下に大きく開いて見ることができる。
【００５６】
また、この実施形態においても、本発明の陳列装置本体１０は、ベース板３２の背面に設けたフック３３を他の陳列装置４０の棚部材４２の背板４２ａの上端に引っ掛けて取り付けるように構成されている。
【００５７】
図１５に示す実施形態のカード型物品陳列装置においては、陳列装置本体１０の前面側に２本の略Ｃ字形状の支持杆３１、３１が上下に間隔をあけて、且つ、両端を縦向きにして取り付けられており、これら略Ｃ字形状の支持杆３１、３１に対しホルダ１３が切欠き穴１４により抜き差し可能に嵌め込まれて保持されており、これにより、ホルダ１３に保持されたカード型物品１２が支持杆３１の長さ方向すなわち略円弧方向に移動可能とされている。この実施形態においても上記実施形態におけるホルダと同じ構造のホルダ１３を用いることができる。
【００５８】
また、この実施形態においては、図１５（ｂ）に示すように、本発明の陳列装置本体１０は、上下複数段例えば４段のベース板３２を一体に結合したものとなっており、各ベース板３２の背面が他の陳列装置４０における棚部材４２の背板４２ａの前面に当接されるとともに、前部又は一部のベース板３２の背面に設けられたフック３３を他の陳列装置４０の棚部材４２の背板４２ａの上端に引っ掛けて取り付けるように構成されている。
【００５９】
これにより、この実施形態においては、陳列装置４０における棚部材４２の背板４２ａが上段に向かうに従って段階的に後方にシフトしているのに従い、本発明の陳列装置本体１０の背板３２も上段に向かうに従って段階的に後方にシフトしている。
【００６０】
なお、陳列装置本体１０の背板３２を同一平面上に整列させて連結若しくは配置した場合、陳列装置本体１０の背板３２が他の陳列装置４０における棚部材４２の背板４２ａよりも大きく後傾することとなり、正面から見づらくなることがあるが、背板３２を上記の如く段階的にシフトさせた取付構造にすれば、本発明の陳列装置本体１０の背板３２を他の陳列装置４０における棚部材４２の背板４２ａと同じ後傾角度に保つことができる。
【００６１】
以上図示実施形態につき説明したが、本発明は上記実施形態の態様のみに限定されるものではなく、特許請求の範囲に記載した範囲内でその構成要素に種々の変更を加えることができる。例えば、上記実施形態においては、ホルダを構成する左右一対の枠体がヒンジ部を介して一体に形成されているが、両枠体を別体に形成して開閉可能に構成してもよい。また、ホルダの切欠き穴は、ホルダから突出したフック部に形成したものであってもよい。さらに、上記実施形態においては、切欠き穴の狭小部が弾性変形可能に形成されており、切欠き穴の狭小部の弾性変形により支持杆が狭小部を通過できるように構成されているが、支持杆を弾性変形可能に形成し、該支持杆の弾性変形によって切欠き穴の狭小部を通過させるように構成してもよい。
【００６２】
【発明の効果】
以上の説明から明らかなように、本発明によれば、カード型商品又はその見本等のカード型物品の損傷を早めることなく、また、カード型物品を抜き取ったときに他のカード型物品の閲覧操作性や陳列の美観を損ねたりすることなく、カード型物品を容易に抜き差し可能に陳列することができるカード型物品陳列装置を提供することができる。
【図面の簡単な説明】
【図１】本発明の一実施形態を示すカード型物品陳列装置の概略平面図である。
【図２】図１のカード型物品陳列装置における支持杆とホルダとの着脱形態を示す斜視図である。
【図３】（ａ）、（ｂ）、（ｃ）、（ｄ）はそれぞれ図２に示すホルダの展開状態を示す正面図、左側面図、右側面図及び底面図である。
【図４】（ａ）は図３（ａ）に示すホルダの要部拡大図であり、（ｂ）は図４（ａ）中４ｂ−４ｂに沿った断面図であり、（ｃ）はホルダを閉じた状態を示す要部断面図である。
【図５】（ａ）、（ｂ）はそれぞれ図３及び図４に示すホルダの切欠き穴を支持杆に嵌め込んだ状態を示す要部背面図及び要部左側面図であり、（ｃ）は図５（ｂ）の５ｃ−５ｃ線に沿った断面図である。
【図６】（ａ）、（ｂ）はそれぞれホルダの切欠き穴の変形例を示す図５（ａ）、（ｂ）と類似の要部背面図及び要部左側面図であり、（ｃ）は図６（ｂ）の６ｃ−６ｃ線に沿った断面図である。
【図７】（ａ）、（ｂ、（ｃ）、（ｄ）はそれぞれホルダの他の実施形態を示す展開状態の正面図、左側面図、右側面図及び底面図である。
【図８】ホルダの他の実施形態を示す展開状態の正面図である。
【図９】ホルダのさらに他の実施形態を示す展開状態の正面図である。
【図１０】図７から図９までに示すホルダに取り付け可能なカード型物品の左側面図である。
【図１１】（ａ）、（ｂ）はそれぞれカード型物品陳列装置の他の実施形態を示す斜視図及び左側面図である。
【図１２】図１１に示すカード型物品陳列装置の要部斜視図である。
【図１３】図１１に示すカード型物品陳列装置の取付構造の変形例を示す左側面図である。
【図１４】（ａ）、（ｂ）、（ｃ）はそれぞれカード型物品陳列装置の他の実施形態を示す正面図、左側面図及び斜視図である。
【図１５】（ａ）、（ｂ）、（ｃ）はそれぞれカード型物品陳列装置のさらに他の実施形態を示す平面図、左側面図及び斜視図である。
【符号の説明】
１０    陳列装置本体
１１    支持杆
１２    カード型物品
１３    ホルダ
１４    切欠き穴
１４ａ    狭小部
１４ｂ    奥部
１６，１７    枠体
１８  嵌合手段
１９    保持溝
２０    ヒンジ部
２１    抜け防止手段
２２，２３    リーフ片
３１    支持杆
３２    ベース板
３３    フック
４０    他の陳列装置
４２    棚部材
４２ｂ    背板
【図１】
2004267265.tif 000003
【図２】
2004267265.tif 000004
【図３】
2004267265.tif 000005
【図４】
2004267265.tif 000006
【図５】
2004267265.tif 000007
【図６】
2004267265.tif 000008
【図７】
2004267265.tif 000009
【図８】
2004267265.tif 000010
【図９】
2004267265.tif 000011
【図１０】
2004267265.tif 000012
【図１１】
2004267265.tif 000013
【図１２】
2004267265.tif 000014
【図１３】
2004267265.tif 000015
【図１４】
2004267265.tif 000016
【図１５】
2004267265.tif 000017